(57)【要約】【課題】所望の出演者の出演番組を検索する際に無駄な時間を費やす必要がなく、所望の出演者が出演する出演番組に関する情報を一見して把握でき、新たな操作の手間を省くことができる番組情報提示装置を提供する。【解決手段】放送番組を特定する番組情報及び出演者情報を含む電子番組情報を受信する受信手段１０２と、電子番組情報を格納する第１の格納手段１０５と、第２の格納手段１０６に格納された複数の人物名からなるリストの人物名ごとに人物が出演する放送番組数を出演者情報に基づきカウントし、放送番組のうちから所定の属性の放送番組の数をカウントする番組数カウント手段１０９と、指示の受付手段１０１と、受付手段を介した指示に基づき取得された、第３の格納手段１０７に格納された人物名、カウントされた人物が出演する放送番組数、所定の属性の放送番組数を関連付けた出演者番組数情報を生成し出力する番組数情報生成手段１１０とを備える。【選択図】図１
2007228438.tif 000002
【特許請求の範囲】
【請求項１】
放送番組を特定する番組情報及び前記放送番組に出演する出演者情報を含む電子番組情報を受信する受信手段と、
受信された前記電子番組情報を格納する第１の格納手段と、
あらかじめ又は事後的に出演者として前記番組情報に含まれる放送番組に出演すると予想される複数の人物の名からなるリストを格納する第２の格納手段と、
前記第２の格納手段に格納された前記リストの人物名ごとに、前記人物が出演する放送番組数を前記電子番組情報の前記出演者情報に基づいてカウントし、さらにカウントされた前記放送番組のうちから所定の属性を有する放送番組数をカウントする番組数カウント手段と、
前記人物名、カウントされた前記人物が出演する前記放送番組数、前記所定の属性を有する放送番組数を関連付けて格納する第３の格納手段と、
ユーザからの指示を受け付ける受付手段と、
前記ユーザから前記受付手段を介して受け付けた指示に基づいて、前記第３の格納手段に格納された前記人物名、前記カウントされた前記人物が出演する前記放送番組数、前記所定の属性を有する放送番組数を取得し、前記人物名、前記カウントされた前記人物が出演する前記放送番組数、前記所定の属性を有する放送番組数を関連付けた出演者番組数情報を生成して表示手段に出力する番組数情報生成手段とを、
備える番組情報提示装置。
【発明の詳細な説明】
【技術分野】
【０００１】
本発明は、電子番組ガイド（EPG：Electric Program Guide）を利用した番組情報提示装置に関する。
【背景技術】
【０００２】
近年、衛星デジタル放送、地上デジタル放送が開始されて、放送データに電子番組データが多重化されて送信されるようになった。テレビ受信機は、多重化された電子番組データを取得し画面上に番組表を表示して、ユーザが視聴、録画予約が簡単に行なえるような機能を提供している。一方で、衛星デジタル放送により視聴可能な番組数が飛躍的に増加し、ユーザが所望する番組を検索する技術が必要となっている。従来の検索方法としては、出演者を選択して、その出演者が出演する番組を検索するものがある。しかし、出演者による検索では、その出演者が番組に出演していない時期などは検索しても１件も番組が検索されないことがよくある。このような場合、検索にかかる時間はユーザにとって全く無駄となってしまう。このような問題に対処するため、例えば、下記の特許文献１では、出演者ごとに所定期間に出演する番組数をカウントして、その番組数の順番で提示リストを作成して出演者を提示する方法が提案されている。
【特許文献１】特開２００３−１７９８２７号公報（要約、段落０００５、図１）
【発明の開示】
【発明が解決しようとする課題】
【０００３】
しかし、特許文献１で提案されている方法では、ユーザが検索したい所望の出演者の出演番組の数が少ない場合は、その出演者は提示リストの後半になってしまう。また、検索したい出演者が提示リストに存在するか否かを確認するためには提示リストを最後まで確認する必要があり、検索したい出演者が提示リストに無い場合には無駄な時間を費やしてしまうという問題があった。また、提示リストによって所望の出演者を見つけ出し、所望の出演者の出演番組数順位や出演予定番組を把握できたとしても、提示された出演予定番組の中に再放送番組がどのくらいあるのか、ステレオ若しくはモノラルによる放送がどのくらいあるのか、字幕による放送がどのくらいあるのかなどの番組に関する情報を一見して把握することができないため、ユーザは提示リストに提示されたそれぞれの出演予定番組に関する情報を見るために新たな操作をしなければならず、手間がかかるという問題があった。
【０００４】
本発明は、上記問題を解決するためのものであり、所望の出演者の出演番組を検索する際に無駄な時間を費やす必要がなく、所望の出演者が出演する出演番組に関する情報を一見して把握でき、新たな操作による無駄な手間を省くことができる番組情報提示装置を提供することを目的とする。
【課題を解決するための手段】
【０００５】
上記目的を達成するために、本発明によれば、放送番組を特定する番組情報及び前記放送番組に出演する出演者情報を含む電子番組情報を受信する受信手段と、受信された前記電子番組情報を格納する第１の格納手段と、あらかじめ又は事後的に出演者として前記番組情報に含まれる放送番組に出演すると予想される複数の人物の名からなるリストを格納する第２の格納手段と、前記第２の格納手段に格納された前記リストの人物名ごとに、前記人物が出演する放送番組数を前記電子番組情報の前記出演者情報に基づいてカウントし、さらにカウントされた前記放送番組のうちから所定の属性を有する放送番組数をカウントする番組数カウント手段と、前記人物名、前記カウントされた前記人物が出演する前記放送番組数、前記所定の属性を有する放送番組数を関連付けて格納する第３の格納手段と、ユーザからの指示を受け付ける受付手段と、前記ユーザから前記受付手段を介して受け付けた指示に基づいて、前記第３の格納手段に格納された前記人物名、前記カウントされた前記人物が出演する前記放送番組数、前記所定の属性を有する放送番組数を取得し、前記人物名、前記カウントされた前記人物が出演する前記放送番組数、前記所定の属性を有する放送番組数を関連付けた出演者番組数情報を生成して表示手段に出力する番組数情報生成手段とを備える番組情報提示装置が提供される。この構成により、所望の出演者の出演番組を検索する際に無駄な時間を費やす必要がなく、所望の出演者が出演する出演番組に関する情報を一見して把握でき、新たな操作による無駄な手間を省くことができる。なお、所定の属性を有する放送番組とは、後述するように、例えば再放送の放送番組、ステレオ放送若しくはモノラル放送の放送番組、字幕がある放送番組などであるがこれに限られるものではない。また、リストをあらかじめ又は事後的に格納するとあるが、製品の出荷段階からリストが格納されていてもよく、またその後にユーザがリストをダウンロードなどして格納するようにしてもよく、また過去に受信した電子番組情報の出演者情報に基づいて生成されたリストを格納するようにしてもよい。
【発明の効果】
【０００６】
本発明の番組情報提示装置は、上記構成を有し、所望の出演者の出演番組を検索する際に無駄な時間を費やす必要がなく、所望の出演者が出演する出演番組に関する情報を一見して把握でき、新たな操作による無駄な手間を省くことができる。
【発明を実施するための最良の形態】
【０００７】
以下、本発明の実施の形態に係る番組情報提示装置について図１から図９を用いて説明する。図１は本発明の実施の形態に係る番組情報提示装置の構成の一例を示す構成図である。図２は本発明の実施の形態に係る番組情報提示装置の出演者リスト表示手段により作成された５０音選択画面の一例を示す図である。図３は本発明の実施の形態に係る番組情報提示装置の出演者リスト表示手段により作成された出演者選択画面の一例を示す図である。図４は本発明の実施の形態に係る番組情報提示装置の検索結果表示手段により作成された検索結果画面の一例を示す図である。図５は本発明の実施の形態に係る番組情報提示装置の番組データ格納手段に格納された電子番組データの一例を示す図である。図６は本発明の実施の形態に係る番組情報提示装置の出演者リスト格納手段に格納された出演者データの一例を示す図である。図７は本発明の実施の形態に係る番組情報提示装置の番組数格納手段に格納された出演者、放送番組数、再放送番組本数、ステレオ放送番組本数又はモノラル放送番組本数、字幕放送番組本数の一例を示す図である。図８は本発明の実施の形態に係る番組情報提示装置のリモコンの構成の一例を示す図である。図９は本発明の実施の形態に係る番組情報提示装置の出演者リスト表示手段により作成された他の出演者選択画面の一例を示す図である。
【０００８】
まず、本発明の実施の形態に係る番組情報提示装置における電子番組データを取得する流れについて図１を用いて説明する。図１に示すように、セレクタ１０４はＣＰＵ１０８で制御されるものであり、電子番組データ（電子番組情報に相当）の取得先として、デジタル放送に多重化された番組データを受信するデジタル放送受信手段１０２か、不図示のネットワーク経由で番組データを取得するネットワーク接続手段１０３かを選択する。セレクタ１０４がデジタル放送受信手段１０２を選択した場合は、デジタル放送受信手段１０２で受信された出演者データを含む電子番組データは番組データ格納手段１０５に格納される。なお、番組データ格納手段１０５、後述する出演者リスト格納手段１０６、後述する番組数格納手段１０７は、例えばメモリあるいは不揮発メモリ、ハードディスクなどが考えられる。
【０００９】
図５は電子番組データの一例を示すものであり、放送局、日付、開始時間、放送時間、タイトル、内容、出演者、再放送か否かの情報、ステレオ放送かモノラル放送かの情報、字幕があるか否かの情報などが含まれている。この電子番組データは所定の期間における情報であって、例えば８日間分の情報である。なお、電子番組データに含まれる情報はこれらに限られるものではなく、流行又は時代のニーズによって挿入される情報は適宜変わる。また、出演者リスト格納手段１０６には、所定の出演者リスト（出演者として放送番組に出演すると予想される複数の人物の名からなるリスト）があらかじめ又は事後的に備えられ、この所定の出演者リストは、例えば過去に取得された所定期間（例えば、過去１年間）における電子番組データに含まれていた出演者のリストであって、後述する番組数カウント手段１０９が番組データ格納手段１０５に格納されている電子番組データの中から、出演者ごとに出演する出演番組数をカウントする際に用いられる。この所定の出演者リストは出演者リスト格納手段１０６に格納されるのではなく、他の格納手段に格納されていてもよい。図６は出演者リスト格納手段１０６に格納された出演者データの一例であり、例えば出演者の漢字表記とひらがな表記とからなる。
【００１０】
なお、出演者データを含む電子番組データ、所定の出演者リストのデータ、後述する番組数カウント手段１０９によってカウントされた出演番組数などはそれぞれ別々の格納手段に格納されているが、１つの格納手段に格納されるようにしてもよい。
【００１１】
一方、セレクタ１０４がネットワーク接続手段１０３を選択した場合は、ネットワーク接続手段１０３で受信された出演者データを含む電子番組データは、同様に番組データ格納手段１０５に格納される。番組データ格納手段１０５へのデータの格納が完了して最新データに更新されると、ＣＰＵ１０８はデータ更新完了により、番組数カウント手段１０９を作動させる。
【００１２】
番組数カウント手段１０９は、出演者リスト格納手段１０６に格納された、所定の出演者リストの人物名ごとに、その人物が出演する放送番組数を電子番組データの出演者データに基づいてカウントし、さらにカウントされた放送番組の中で再放送番組がいくつあるかを示す情報（再放送番組本数）、カウントされた放送番組の中でステレオ放送番組又はモノラル放送番組がいくつあるかを示す情報（ステレオ放送番組本数又はモノラル放送番組本数）、カウントされた放送番組の中で字幕放送番組がいくつあるかを示す情報（字幕放送番組本数）をカウントし、それらを関連付けて番組数格納手段１０７に格納する。番組数格納手段１０７に格納された情報の一例を図７に示す。図７に示すように、出演者（人物名）、その読み、放送番組数、再放送番組本数、ステレオ放送番組本数、字幕放送番組本数が対応付けられて格納されている。なお、ステレオ放送番組本数の代わりにモノラル放送番組本数であってもよい。
【００１３】
また、番組数カウント手段１０９は、電子番組データの出演者の欄において、上位に記載されていればいるほどその番組の中心人物であると判断し、出演者の欄に記載されている位置によって所定のポイントをつけるようにしてもよい。例えば、出演者の欄の最初に記載されている出演者（その番組の中心人物（主役））には５ポイントを付加し、それ以降に記載されている出演者には記載されている位置が下がるにつれて付加するポイントを減少させていく。このような処理を出演者ごとに出演する出演番組すべてに関して行い、全出演番組におけるトータルのポイントを算出する。
【００１４】
例えば、Ａという出演者が３つの番組に出演しており、３つの出演番組すべて出演者の欄の最初に記載されている場合には、トータルのポイントは１５ポイントとなる。一方、Ｂという出演者が５つの番組に出演しており、５つの出演番組すべて出演者の欄の上から３番目に記載されている場合には、出演者の欄の記載が１つ下がるごとに１ポイント減少する場合にはポイントは３ポイントとなり、５（番組）×３（ポイント）で１５ポイントとなる。これら算出されたポイントを番組数カウント手段１０９は図７に格納された情報に関連付けて格納し、図３に示すようにポイント数として表示させるようにしてもよい。これにより、出演者ごとに出演番組数に対するポイントが把握できるため、出演者の主役度や脇役度などがわかる。
【００１５】
また、電子番組データは所定の期間における情報であり、その期間内には毎日同時刻に行われる番組（帯番組）が存在する場合がある。例えば、毎日午後１２時から放送されるお昼のバラエティ番組などである。この場合、基本的に出演する出演者にあまり変動はなく、毎日同じ出演者で番組が行われる。このような帯番組に関しては、番組数カウント手段１０９は、例えば５日間の帯番組であれば５日間分それぞれについてカウントするのではなく、１つの番組としてカウントする。すなわち、同じ出演者が５日間のそれぞれに記載されていたとしても出演番組数を５番組とするのではなく１番組とカウントする。なお、帯番組であるか否かは、同時刻に同じタイトルの番組があるか否かによって判断する。
【００１６】
また、特別番組などの宣伝のための番組、例えば夜９時から放送される映画の見所などを紹介する、映画が放送されるより前の時刻における番組の電子番組データの出演者の欄に出演者が存在しても、番組数カウント手段１０９はこれをカウントしないようにすることもできる。一般に、図７に示す情報に基づいてユーザは録画予約などを行う場合が多く、録画して見たいと思わない宣伝番組がカウントされて含まれることはユーザにとって好ましくない。よって、宣伝番組に関してはカウントから除かれるようにしてもよい。なお、宣伝番組か否かは、例えば、同日の異なる時刻に同じタイトルがあり、時間的に前に放送される番組の放送時間が所定の時間（例えば、５分間など）内である場合にその番組は宣伝番組であると判断する。
【００１７】
次に、ユーザが出演者検索を行う場合の流れを説明する。図８に示すリモコンを介してユーザによって検索キーが押された場合、リモコン受信手段１０１から検索リモコンコードがＣＰＵ１０８に入力される。ＣＰＵ１０８は、入力されたリモコンコードが「検索」を示すものである場合は、出演者リスト表示手段１１０を作動させる。出演者リスト表示手段１１０は、番組数格納手段１０７から出演者の情報、その出演者が出演する放送番組数、再放送番組本数、ステレオ放送番組本数又はモノラル放送番組本数、字幕放送番組本数を読み出し、出演者、放送番組数、再放送番組本数、ステレオ放送番組本数又はモノラル放送番組本数、字幕放送番組本数、ポイント数を画面に表示するように出演者選択画面データを作成して、ＯＳＤ（On Screen Display）メモリ１１３に書き込む。図３は、出演者リスト表示手段１１０による出演者選択画面のＧＵＩ（Graphical User Interface）データ例である。ＯＳＤメモリ１１３に書き込まれた出演者選択のＧＵＩデータは、ＤＡＣ（Digital Analog Converter）１１４で映像信号に変換されてモニタ１１５に表示される。なお、ステレオ放送番組本数又はモノラル放送番組本数に関して、図３ではステレオ放送番組本数を示しているが、モノラル放送番組本数を示すようにしてもよい。
【００１８】
ユーザは、表示された出演者選択画面で、リモコンのカーソルキーを操作して出演者のフォーカスを移動させて、リモコンの決定キーで出演者を選択する。本発明の実施の形態では、出演者選択画面は出演者と同時に検索される放送番組数が表示されるので、ユーザは０件の出演者の検索を避けることができるため無駄な検索を行わなくて済む。この出演者選択画面でユーザが出演者を選択した場合は、ＣＰＵ１０８は検索手段１１１を作動させて、番組データ格納手段１０５に格納される電子番組データから、選択された出演者が出演する番組を検索して検索結果表示手段１１２に通知する。検索結果表示手段１１２は、通知された電子番組データで図４のような検索結果画面を作成して、ＯＳＤメモリ１１３に書き込む。ＯＳＤメモリ１１３に書き込まれた検索結果画面は、ＤＡＣ１１４で映像信号に変換されモニタ１１５に表示される。
【００１９】
また、他の態様として以下のようなものも考えられる。図８に示すリモコンから検索キーが押された場合、リモコン受信手段１０１から検索リモコンコードがＣＰＵ１０８に入力される。ＣＰＵ１０８は、入力されたリモコンコードが「検索」を示すものである場合は、出演者リスト表示手段１１０を作動させる。出演者リスト表示手段１１０は、図２に示すような５０音のあ行〜わ行までを選択できる５０音選択画面データをＯＳＤメモリ１１３に書き込む。ユーザはリモコンのカーソルキーであ行〜わ行のフォーカスを移動して、所望する５０音の行を選択する。ＣＰＵ１０８はユーザが選択した５０音の行に含まれる出演者、放送番組数、再放送番組本数、ステレオ放送番組本数又はモノラル放送番組本数、字幕放送番組本数を、番組数格納手段１０７から取得して、図３のような出演者選択画面データを作成してＯＳＤメモリ１１３に書き込む。これにより、出演者は５０音の階層（５０音順）で表示されるために、ユーザは検索したい出演者を５０音で見つけやすくなる。
【００２０】
また、他の態様として以下のものも考えられる。図３に示す出演者選択画面が表示された場合は、ユーザがリモコンのカーソルキーを押した場合は、ＣＰＵ１０８は検索件数（検索された番組数）が０件である出演者にフォーカスを当てない処理を行う。例えば、図３の“明石家さんま”のフォーカスの位置からカーソルキーの「下」を押した場合は、“阿川佐和子”をスキップして、“朝丘雪路”にフォーカスを当てる。これにより、ユーザは検索数（検索された番組数）０件の出演者を間違って選択することがなくなる利点がある。
【００２１】
また、他の態様として以下のものも考えられる。図７に示す出演者、放送番組数、再放送番組本数、ステレオ放送番組本数又はモノラル放送番組本数、字幕放送番組本数が番組数格納手段１０７に格納されていた場合は、ＣＰＵ１０８は番組数が０件である出演者の表示をしないような処理を行う。この場合、画面に表示されるのは、図９に示すように、０件である“阿川佐和子”が表示されなくなり、ユーザは検索数０件の出演者を間違って選択することがなくなる利点がある。
【００２２】
また、他の態様として以下のものも考えられる。例えば、ユーザによっては昼間の時間帯（例えば、午前９時から午後７時までの間）は仕事などで番組を見ることができないため、その時間帯に限って、番組数カウント手段１０９は出演者、放送番組数、再放送番組本数、ステレオ放送番組本数又はモノラル放送番組本数、字幕放送番組本数、ポイント数をカウントし、番組数格納手段１０７に格納する。そして、図３や図９に示すような出演者選択画面を表示させるようにしてもよい。このように、あらかじめ所定の時間帯に検索範囲を絞ることにより、録画を希望する時間帯の番組に限られるため、ユーザは録画予約などを時間をかけずに行うことができる。
【００２３】
以上により、所望の出演者の出演番組を検索する際に無駄な時間を費やす必要がなく、所望の出演者が出演する出演番組に関する情報を一見して把握でき、新たな操作による無駄な手間を省くことができる。また、５０音順で出演者がリスト表示されることで、検索したい出演者を探すのに手間がかからない利点がある。また、検索される番組数が０件の出演者は、出演者リストでフォーカスが当たらないようにする、あるいは出演者リストに表示しないようにするので、間違って検索数が０件の出演者を検索してしまうことを避けることができる利点がある。
【産業上の利用可能性】
【００２４】
本発明に係る番組情報提示装置は、所望の出演者の出演番組を検索する際に無駄な時間を費やす必要がなく、所望の出演者が出演する出演番組に関する情報を一見して把握でき、新たな操作による無駄な手間を省くことができるため、電子番組ガイド（EPG）を利用した番組情報提示装置などに有用である。
【図面の簡単な説明】
【００２５】
【図１】本発明の実施の形態に係る番組情報提示装置の構成の一例を示す構成図である。
【図２】本発明の実施の形態に係る番組情報提示装置の出演者リスト表示手段により作成された５０音選択画面の一例を示す図である。
【図３】本発明の実施の形態に係る番組情報提示装置の出演者リスト表示手段により作成された出演者選択画面の一例を示す図である。
【図４】本発明の実施の形態に係る番組情報提示装置の検索結果表示手段により作成された検索結果画面の一例を示す図である。
【図５】本発明の実施の形態に係る番組情報提示装置の番組データ格納手段に格納された電子番組データの一例を示す図である。
【図６】本発明の実施の形態に係る番組情報提示装置の出演者リスト格納手段に格納された出演者データの一例を示す図である。
【図７】本発明の実施の形態に係る番組情報提示装置の番組数格納手段に格納された出演者、放送番組数、再放送番組本数、ステレオ放送番組本数又はモノラル放送番組本数、字幕放送番組本数の一例を示す図である。
【図８】本発明の実施の形態に係る番組情報提示装置のリモコンの構成の一例を示す図である。
【図９】本発明の実施の形態に係る番組情報提示装置の出演者リスト表示手段により作成された他の出演者選択画面の一例を示す図である。
【符号の説明】
【００２６】
１０１  リモコン受信手段（受付手段）
１０２  デジタル放送受信手段（受信手段）
１０３  ネットワーク接続手段（受信手段）
１０４  セレクタ
１０５  番組データ格納手段（第１の格納手段）
１０６  出演者リスト格納手段（第２の格納手段）
１０７  番組数格納手段（第３の格納手段）
１０８  ＣＰＵ
１０９  番組数カウント手段
１１０  出演者リスト表示手段（番組数情報生成手段）
１１１  検索手段
１１２  検索結果表示手段
１１３  ＯＳＤメモリ
１１４  ＤＡＣ
１１５  モニタ
【図１】
2007228438.tif 000003
【図２】
2007228438.tif 000004
【図３】
2007228438.tif 000005
【図４】
2007228438.tif 000006
【図５】
2007228438.tif 000007
【図６】
2007228438.tif 000008
【図７】
2007228438.tif 000009
【図８】
2007228438.tif 000010
【図９】
2007228438.tif 000011